(57)【要約】【課題】顧客の所持する顧客端末を使用してサーバにアクセスすることによって、顧客が使用しようとする使用装置の状況を的確に把握することができるようにして、顧客がストレスを感じることがなく、かつ、時間を有効に利用することができるようにする。【解決手段】通信手段を備える使用装置と、該使用装置と通信可能に接続され、該使用装置の使用状況を把握するサーバと、該サーバに接続可能な顧客端末１４とを有する装置状況把握システム１０であって、前記顧客端末１４は、前記サーバから前記使用装置の使用状況を取得する。【選択図】図１
2005202580.tif 000002
【特許請求の範囲】
【請求項１】
（ａ）通信手段を備える使用装置と、
（ｂ）該使用装置と通信可能に接続され、該使用装置の使用状況を把握するサーバと、
（ｃ）該サーバに接続可能な顧客端末とを有する装置状況把握システムであって、
（ｄ）前記顧客端末は、前記サーバから前記使用装置の使用状況を取得することを特徴とする装置状況把握システム。
【請求項２】
前記サーバは、前記顧客端末から予約指示を受信すると空いている使用装置を予約する請求項１に記載の装置状況把握システム。
【請求項３】
前記サーバは、前記使用装置の空きがない場合、待機して前記使用装置が空くと該使用装置を予約する請求項２に記載の装置状況把握システム。
【請求項４】
前記サーバは、予約された使用装置の番号を前記顧客端末に送信する請求項２又は３に記載の装置状況把握システム。
【請求項５】
前記使用装置は、ロック可能な扉を備え、該扉は前記使用装置が予約されているとき、又は、使用されているときにロックされる請求項１〜４のいずれか１項に記載の装置状況把握システム。
【請求項６】
（ａ）店舗に配設され、該店舗における前記使用装置と通信可能に接続され、該使用装置の使用状況を把握する店舗内サーバを有し、
（ｂ）前記サーバは、前記店舗内サーバを介して、前記使用装置の使用状況を把握する請求項１〜５のいずれか１項に記載の装置状況把握システム。
【請求項７】
前記使用装置は、ランドリー装置又は預かりボックスである請求項１〜６のいずれか１項に記載の装置状況把握システム。
【発明の詳細な説明】
【技術分野】
【０００１】
本発明は、装置状況把握システムに関するものである。
【背景技術】
【０００２】
従来、公衆浴場、集合住宅等の施設の内部やその周辺、商店街等には、有料で使用する洗濯機、乾燥機等の装置を備えたコインランドリーと通称される店舗又はコーナが設置されている。そして、洗濯機や乾燥機を持っていない顧客や、洗濯機や乾燥機が故障していて使用することができない顧客は、前記コインランドリーにおいて、料金を支払って、洗濯機、乾燥機等の装置を使用して、衣類等の洗濯や乾燥を行うことができる（例えば、特許文献１参照。）。
【０００３】
この場合、前記顧客は、コインランドリーまで衣類等の洗濯物を持って行き、誰も使用していない、すなわち、空いている洗濯機、乾燥機等の装置を見つけ、該装置の硬貨、すなわち、コインの投入口にコインを投入して使用する。これにより、前記洗濯物の洗濯や乾燥を行うことができる。
【特許文献１】特開平６−２０５９００号公報
【発明の開示】
【発明が解決しようとする課題】
【０００４】
しかしながら、前記従来のコインランドリーにおいては、顧客がコインランドリーに行くまで装置の空き状況を確認することができないため、コインランドリーに行ってもすべての装置が他の顧客によって使用され、洗濯物の洗濯や乾燥を行うことができない場合があった。この場合、前記顧客は、装置が空くまでその場で待機するか、他のコインランドリーに行かなければならない。そのため、前記顧客は、ストレスを感じるだけでなく、時間を有効に利用することができなかった。
【０００５】
本発明は、前記従来の問題点を解決して、顧客の所持する顧客端末を使用してサーバにアクセスすることによって、顧客が使用しようとする使用装置の状況を的確に把握することができるようにして、顧客がストレスを感じることがなく、かつ、時間を有効に利用することができる装置状況把握システムを提供することを目的とする。
【課題を解決するための手段】
【０００６】
そのために、本発明の装置状況把握システムにおいては、通信手段を備える使用装置と、該使用装置と通信可能に接続され、該使用装置の使用状況を把握するサーバと、該サーバに接続可能な顧客端末とを有する装置状況把握システムであって、前記顧客端末は、前記サーバから前記使用装置の使用状況を取得する。
【０００７】
本発明の他の装置状況把握システムにおいては、さらに、前記サーバは、前記顧客端末から予約指示を受信すると空いている使用装置を予約する。
【０００８】
本発明の更に他の装置状況把握システムにおいては、さらに、前記サーバは、前記使用装置の空きがない場合、待機して前記使用装置が空くと該使用装置を予約する。
【０００９】
本発明の更に他の装置状況把握システムにおいては、さらに、前記サーバは、予約された使用装置の番号を前記顧客端末に送信する。
【００１０】
本発明の更に他の装置状況把握システムにおいては、さらに、前記使用装置は、ロック可能な扉を備え、該扉は前記使用装置が予約されているとき、又は、使用されているときにロックされる。
【００１１】
本発明の更に他の装置状況把握システムにおいては、さらに、店舗に配設され、該店舗における前記使用装置と通信可能に接続され、該使用装置の使用状況を把握する店舗内サーバを有し、前記サーバは、前記店舗内サーバを介して、前記使用装置の使用状況を把握する。
【００１２】
本発明の更に他の装置状況把握システムにおいては、さらに、前記使用装置は、ランドリー装置又は預かりボックスである。
【発明の効果】
【００１３】
本発明によれば、顧客の所持する顧客端末を使用してサーバにアクセスすることによって、顧客が使用しようとする使用装置の状況を的確に把握することができる。そのため、顧客はストレスを感じることがなく、かつ、時間を有効に利用することができる。
【発明を実施するための最良の形態】
【００１４】
以下、本発明の実施の形態について図面を参照しながら詳細に説明する。
【００１５】
図１は本発明の第１の実施の形態における装置状況把握システムの構成を示す図である。
【００１６】
図において、１０は本実施の形態における装置状況把握システムであり、各種の使用装置の状況を把握するためのコンピュータシステムである。ここで、前記使用装置は、多数の者によって有料又は無料で排他的に使用される装置又は施設であって、例えば、コインランドリーにおいて有料で使用される洗濯機、乾燥機等のランドリー装置、手荷物等の荷物を一時保管するコインロッカー、電子ロッカー、ウェブロッカー等と通称される預かりボックス、カラオケボックスと通称されるカラオケ装置が配設された有料個室、コインパーキングと通称される有料の駐車スペース、有料トイレ、貸し出し用個室等であるが、いかなる種類の装置又は施設であってもよい。なお、本実施の形態においては、説明の都合上、前記使用装置がコインランドリーにおいて有料で使用される洗濯機、乾燥機等のランドリー装置である場合について説明する。
【００１７】
この場合、コインランドリーは、公衆浴場、集合住宅等の施設の内部やその周辺、商店街等に配設された店舗又はコーナであるが、本実施の形態においては、図において１７で示される店舗としてのランドリー店舗であるものとする。該ランドリー店舗１７は、どのような場所に配設されたものであってもよく、通常、複数であるが単数であってもよく、その数はいくつであってもよい。そして、各ランドリー店舗１７には、有料で使用される洗濯機、乾燥機等のランドリー装置としての装置１６ａ、１６ｂ・・・１６ｎが配設されている。該装置１６ａ、１６ｂ・・・１６ｎは、通常、複数であるが単数であってもよく、その数はいくつであってもよい。なお、前記装置１６ａ、１６ｂ・・・１６ｎを統合的に説明する場合には、装置１６として説明する。
【００１８】
また、前記ランドリー店舗１７のそれぞれには、前記装置１６ａ、１６ｂ・・・１６ｎの使用状況、運転状況を管理したり、前記装置１６ａ、１６ｂ・・・１６ｎの制御を行うための店舗内サーバ１５が配設される。該店舗内サーバ１５は、ＣＰＵ、ＭＰＵ等の演算手段、磁気ディスク、半導体メモリ等の記憶手段、キーボード、マウス等の入力手段、ＣＲＴ、液晶ディスプレイ等の表示手段、通信インターフェイス等を備える一種のコンピュータであり、例えば、パーソナルコンピュータ、ワークステーション等であるが、いかなる形態のものであってもよい。また、前記店舗内サーバ１５は、単独のコンピュータであってもよいし、複数のコンピュータを有機的に結合した分散型サーバと称されるものであってもよいし、他のコンピュータと一体的に構成されたものであってもよいし、大型のコンピュータの中に構築された複数のシステムの中の一部であってもよい。そして、前記店舗内サーバ１５は、前記装置１６ａ、１６ｂ・・・１６ｎのそれぞれと通信可能に接続されている。なお、該装置１６ａ、１６ｂ・・・１６ｎは、それぞれ、前記店舗内サーバ１５と通信するための通信手段及びロック可能な扉を備える。
【００１９】
そして、１１は管理センタに配設されたサーバとしての管理センタサーバであり、コインランドリーのサービスを提供するサービス事業者によって管理され、運営される。該サービス事業者は、通常、企業であるが、個人であってもよいし、団体であってもよい。また、前記サービス事業者は、各ランドリー店舗１７を運営する事業者と同一の者であってもよいし、該事業者と契約を締結した者であってもよい。そして、前記管理センタサーバ１１は、ＣＰＵ、ＭＰＵ等の演算手段、磁気ディスク、半導体メモリ等の記憶手段、キーボード、マウス等の入力手段、ＣＲＴ、液晶ディスプレイ等の表示手段、通信インターフェイス等を備える一種のコンピュータである。なお、前記管理センタサーバ１１は、単独のコンピュータであってもよいし、複数のコンピュータを有機的に結合した分散型サーバと称されるものであってもよいし、他のコンピュータと一体的に構成されたものであってもよいし、大型のコンピュータの中に構築された複数のシステムの中の一部であってもよい。そして、前記管理センタサーバ１１は、ネットワーク１３を介して、前記ランドリー店舗１７のそれぞれに配設された店舗内サーバ１５と通信可能に接続され、各ランドリー店舗１７における装置１６ａ、１６ｂ・・・１６ｎの使用状況等を把握することができる。
【００２０】
なお、前記ネットワーク１３は、無線又は有線の専用通信回線網又は公衆通信回線網、インターネット、イントラネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、衛星通信回線網等、いかなる通信回線網であってもよく、これらを適宜組み合わせたものであってもよい。
【００２１】
また、１４は、装置１６を利用する顧客が所持する顧客端末であり、前記ネットワーク１３を介して、前記管理センタサーバ１１に接続することができる。ここで、前記顧客端末１４は、ＣＰＵ、ＭＰＵ等の演算手段、磁気ディスク、半導体メモリ等の記憶手段、キーボード、ジョイスティック、十字キー、押しボタン、リモートコントローラ、タッチパネル等の入力手段、ＣＲＴ、液晶ディスプレイ、ＬＥＤ（Ｌｉｇｈｔ  Ｅｍｉｔｔｉｎｇ  Ｄｉｏｄｅ）ディスプレイ等の表示手段、通信インターフェイス等を備える一種のコンピュータであるが、前記ネットワーク１３を介して管理センタサーバ１１に接続することができるものであれば、いかなる種類のものであってもよい。前記顧客端末１４は、例えば、パーソナルコンピュータ、携帯電話機、ＰＨＳ（Ｐｅｒｓｏｎａｌ  Ｈａｎｄｙ−Ｐｈｏｎｅ  Ｓｙｓｔｅｍ）電話機等であるが、据置電話機、電子手帳、ＰＤＡ（Ｐｅｒｓｏｎａｌ  Ｄｉｇｉｔａｌ  Ａｓｓｉｓｔａｎｔ）、ゲーム機、デジタルテレビ等、いかなる形態のものであってもよい。
【００２２】
なお、本実施の形態において、前記顧客は、前記コインランドリーのサービスを提供するサービス事業者とあらかじめ契約を締結し、前記コインランドリーのサービスを利用するために登録された会員であるものとする。この場合、前記顧客は、磁気カード、ＩＣカード等から成る会員証を保持するものとする。そして、前記顧客は顧客端末１４を管理センタサーバ１１に接続することによって、各ランドリー店舗１７における装置１６ａ、１６ｂ・・・１６ｎの使用状況を取得したり、装置１６ａ、１６ｂ・・・１６ｎを予約したりすることができる。
【００２３】
また、１２は、前記管理センタサーバ１１に通信可能に接続された顧客データベースであり、磁気ディスク、半導体メモリ等の記憶手段から成り、登録された会員である前記顧客の会員番号、氏名、連絡先としての電子メールアドレス、クレジットカード情報や口座番号のような課金情報等を格納して管理する。なお、前記店舗内サーバ１５を省略することもできる。この場合、前記管理センタサーバ１１が、各ランドリー店舗１７における装置１６ａ、１６ｂ・・・１６ｎに直接に接続され、該装置１６ａ、１６ｂ・・・１６ｎの使用状況等を把握する。
【００２４】
次に、前記管理センタサーバ１１、顧客データベース１２、店舗内サーバ１５、装置１６及び顧客端末１４の機能構成について説明する。
【００２５】
図２は本発明の第１の実施の形態における管理センタサーバ及び顧客データベースの機能構成を示す図、図３は本発明の第１の実施の形態における店舗内サーバの機能構成を示す図、図４は本発明の第１の実施の形態における装置の機能構成を示す図、図５は本発明の第１の実施の形態における顧客端末の機能構成を示す図である。
【００２６】
まず、図２に示されるように、前記管理センタサーバ１１は、電子メール送信部２１、店舗状況管理部２２、店舗への指示部２３、Ｗｅｂサーバ２４、予約管理部２５及び顧客データベース管理部２６を有する。前記電子メール送信部２１は、装置１６の使用状況を顧客に通知するための電子メールを作成して顧客端末１４宛（あ）てに送信する。なお、電子メールアドレスは、顧客データベース１２に格納されている。そして、前記店舗状況管理部２２は、ランドリー店舗１７のそれぞれに配設された店舗内サーバ１５から受信した情報に基づいて、各ランドリー店舗１７における装置１６の使用状況等を把握する。また、前記店舗への指示部２３は、顧客端末１４から受信した装置１６の予約指示を該当する店舗内サーバ１５に送信する。さらに、前記Ｗｅｂサーバ２４は、ＷＷＷ（Ｗｏｒｌｄ  Ｗｉｄｅ  Ｗｅｂ）サーバとして機能し、顧客端末１４とのインターフェイスを担う。
【００２７】
さらに、前記予約管理部２５は、顧客端末１４から受信した装置１６の予約に矛盾が生じないように管理する。さらに、前記顧客データベース管理部２６は、顧客データベース１２に顧客データとして格納されている顧客の会員番号、氏名、電子メールアドレス等の情報を管理する。
【００２８】
次に、店舗内サーバ１５は、図３に示されるように、装置状況確認部３１及び装置制御部３２を有する。前記装置状況確認部３１は、ランドリー店舗１７の各装置１６の使用状況及び運転状況を確認して管理し、管理センタサーバ１１から要求があった場合には各装置１６の使用状況を前記管理センタサーバ１１に送信する。また、前記装置制御部３２は各装置１６の動作を制御する。
【００２９】
次に、装置１６は、図４に示されるように、扉ロック機構４１及びカードリーダ４２を有する。前記扉ロック機構４１は、衣類等の洗濯物の出し入れをするための開口を開閉するために装置１６に取り付けられている扉をロックする機構であり、顧客からの予約指示があった場合、他の顧客が前記装置１６を使えないように扉をロックして開放されないようにする。また、前記装置１６を使用中、すなわち、洗濯や乾燥が行われている間に洗濯物の盗難が起こらないように扉をロックすることもできる。また、前記扉ロック機構４１は、装置１６の予約をキャンセルする電子メールが入った場合や、装置１６の扉がロックされている状態で一定時間が経過して自動的に予約がキャンセルされた場合には、扉のロックを解除するようになっている。そして、前記カードリーダ４２は、顧客の会員証としての磁気カード、ＩＣカード等のカードが備える記憶手段に記憶されている情報を読み取る。前記カードは、前記顧客が会員として登録されると発行されるカードであり、磁気ストライプ、ＩＣ等から成る記憶手段を備え、該記憶手段に会員番号等の会員識別情報が記憶されている。
【００３０】
次に、顧客端末１４は、図５に示されるように、使用状況表示部５１、予約入力処理部５２及び電子メール受信部５３を有する。前記使用状況表示部５１は、管理センタサーバ１１のＷｅｂサーバ２４から受け取った装置１６の使用状況を表示手段の画面に表示する。そして、前記予約入力処理部５２は、顧客が入力手段を操作して入力した予約指示を管理センタサーバ１１のＷｅｂサーバ２４に送信する。また、前記電子メール受信部５３は、管理センタサーバ１１からの電子メールを受信する。
【００３１】
次に、前記構成の装置状況把握システム１０の動作について説明する。
【００３２】
図６は本発明の第１の実施の形態における装置状況把握システムの動作を示すフローチャートである。
【００３３】
まず、顧客は、顧客端末１４を操作してネットワーク１３に接続し、管理センタサーバ１１のＷｅｂサーバ２４にアクセスする。そして、顧客は所望のランドリー店舗１７を指定し、該ランドリー店舗１７における装置１６の使用状況取得指示を管理センタサーバ１１に送信する。ここで、前記使用状況取得指示における使用状況とは、該当するランドリー店舗１７における装置１６が他の顧客によって使用されている状況である。なお、使用状況は空き状況と裏腹の関係にあるので、使用状況に代えて、該当するランドリー店舗１７における装置１６が他の顧客によって使用されておらずに空いている状況である空き状況を使用することもできる。
【００３４】
続いて、前記管理センタサーバ１１は、指定されたランドリー店舗１７の店舗内サーバ１５に、装置１６の使用状況取得指示を送信する。そして、該使用状況取得指示を受信すると、前記店舗内サーバ１５の装置使用状況確認部３１は、ランドリー店舗１７の装置１６の使用状況を確認し、管理センタサーバ１１に使用状況を送信する。
【００３５】
そして、該管理センタサーバ１１のＷｅｂサーバ２４は、店舗内サーバ１５から受信した使用状況を顧客端末１４に送信する。すると、該顧客端末１４の使用状況表示部５１が前記使用状況を表示手段の画面に表示させるので、顧客は所望のランドリー店舗１７における装置１６の使用状況を確認する。
【００３６】
次に、フローチャートについて説明する。
ステップＳ１  管理センタサーバ１１のＷｅｂサーバ２４にアクセスする。
ステップＳ２  管理センタサーバ１１に使用状況取得指示を送信する。
ステップＳ３  店舗内サーバ１５に使用状況を確認する。
ステップＳ４  管理センタサーバ１１に使用状況を送信する。
ステップＳ５  顧客端末１４に使用状況を送信する。
ステップＳ６  使用状況を表示し、処理を終了する。
【００３７】
このように、本実施の形態において、顧客は顧客端末１４を操作して、管理センタサーバ１１にアクセスすることによって、所望のランドリー店舗１７における装置１６の使用状況を遠隔で把握することができる。そのため、前記顧客は、所望のランドリー店舗１７において装置１６が空いていることを確認した上で、前記ランドリー店舗１７に行って、装置１６を使用することができる。したがって、顧客にとっての利便性が高くなり、顧客は、ストレスを感じることなく、かつ、時間を有効に利用することができる。
【００３８】
また、ランドリー店舗１７における装置１６が顧客によって有効に使用されるので、前記装置１６の稼働率が向上する。
【００３９】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００４０】
なお、本実施の形態における装置状況把握システム１０は、前記第１の実施の形態と同様の構成を有するので、構成についての説明を省略し、動作について説明する。
【００４１】
図７は本発明の第２の実施の形態における装置状況把握システムの動作を示す第１のフローチャート、図８は本発明の第２の実施の形態における装置状況把握システムの動作を示す第２のフローチャートである。
【００４２】
本実施の形態においては、ランドリー店舗１７における装置１６を予約する動作について説明する。
【００４３】
まず、顧客は、顧客端末１４の使用状況表示部５１が表示手段の画面に表示させた使用状況を確認して、所望のランドリー店舗１７において装置１６の空きがあるか否かを判断する。なお、顧客端末１４の表示手段の画面に、所望のランドリー店舗１７における装置１６の使用状況を表示させるための動作は、前記第１の実施の形態と同様であるので、説明を省略する。
【００４４】
そして、前記ランドリー店舗１７において、装置１６の空きがある場合、前記顧客は、顧客端末１４の入力手段を操作して予約指示を入力する。すると、前記顧客端末１４の予約入力処理部５２は、前記ランドリー店舗１７における装置１６の予約指示を管理センタサーバ１１のＷｅｂサーバ２４に送信する。そして、前記顧客端末１４からの予約指示を受信すると、前記管理センタサーバ１１の店舗への指示部２３は、該当するランドリー店舗１７の店舗内サーバ１５に空いている装置１６の扉をロックする旨のロック指示を送信する。
【００４５】
続いて、該ロック指示を受信した前記店舗内サーバ１５の装置制御部３２は、空いている装置１６の扉ロック機構４１を作動させて扉をロックする。これにより、前記装置１６は予約済みとなり、扉がロックされて開放不能となるので、他の顧客が前記装置１６を使用することができない。そして、前記店舗内サーバ１５が空いている装置１６の扉をロックした旨を管理センタサーバ１１に送信すると、該管理センタサーバ１１のＷｅｂサーバ２４は、扉がロックされた予約済みの装置１６の番号を顧客端末１４に送信する。すると、該顧客端末１４の表示手段の画面に予約済みの装置１６の番号が表示されるので、顧客は所望のランドリー店舗１７において予約された装置１６の番号を把握する。
【００４６】
続いて、前記顧客は前記ランドリー店舗１７に行って、該当する番号の装置１６に付属するカードリーダ４２に会員証としてのカードを読み取らせる。これにより、カードが備える磁気ストライプ、ＩＣ等から成る記憶手段に記憶されている顧客の氏名、口座番号、暗証番号等の情報がカードリーダ４２によって読み取られ、店舗内サーバ１５を介して、管理センタサーバ１１に送信される。そして、該管理センタサーバ１１は、顧客データベース１２にアクセスし、前記顧客の氏名、口座番号、暗証番号等の情報によって前記顧客を特定し、該顧客の課金情報に基づいて、前記装置１６の使用料金を徴収するための課金処理を行う。
【００４７】
続いて、前記装置１６の扉ロック機構４１が扉のロックを解除する。これにより、前記装置１６の扉を開放することができるようになるので、顧客は前記装置１６を使用することができる。
【００４８】
一方、前記顧客は、顧客端末１４の表示手段の画面に表示された使用状況を確認して、前記ランドリー店舗１７において装置１６の空きがないと判断すると、顧客端末１４の入力手段を操作して予約指示を入力する。すると、前記顧客端末１４の予約入力処理部５２は、前記ランドリー店舗１７における装置１６の予約指示を管理センタサーバ１１のＷｅｂサーバ２４に送信する。そして、前記顧客端末１４からの予約指示を受信すると、前記管理センタサーバ１１の店舗への指示部２３は、該当するランドリー店舗１７の店舗内サーバ１５に、予約対象の装置１６が空くまで待機し、他の顧客の使用が終了して、前記予約対象の装置１６が空くと、該装置１６の扉をロックする旨のロック指示を送信する。なお、この状態、すなわち、装置１６の空き待ち状態で顧客端末１４から装置１６の予約をキャンセルする旨の指示を受信した場合、店舗内サーバ１５は、装置１６の空き待ち状態を中止して待機状態に移行する。
【００４９】
そして、他の顧客の使用が終了して、前記予約対象の装置１６が空くと、店舗内サーバ１５の装置制御部３２は、前記装置１６の扉ロック機構４１を作動させて扉をロックする。これにより、前記装置１６は予約済みとなり、扉がロックされて開放不能となるので、他の顧客が前記装置１６を使用することができない。そして、前記店舗内サーバ１５は前記予約対象の装置１６の扉をロックした旨を管理センタサーバ１１に送信する。すると、管理センタサーバ１１の電子メール送信部２１は、扉がロックされた前記装置１６の番号を通知するための電子メールを作成して顧客端末１４宛てに送信する。なお、電子メールアドレスは、顧客データベース１２にアクセスすることによって取得される。
【００５０】
続いて、顧客端末１４の電子メール受信部５３が管理センタサーバ１１からの電子メールを受信すると、該電子メールの内容が表示手段の画面に表示される。これにより、顧客は、所望のランドリー店舗１７において装置１６が予約されたこと、及び、予約された装置１６の番号を把握する。
【００５１】
続いて、前記顧客は前記ランドリー店舗１７に行って、該当する番号の装置１６に付属するカードリーダ４２に会員証としてのカードを読み取らせる。これにより、カードが備える磁気ストライプ、ＩＣ等から成る記憶手段に記憶されている顧客の氏名、口座番号、暗証番号等の情報がカードリーダ４２によって読み取られ、店舗内サーバ１５を介して、管理センタサーバ１１に送信される。そして、該管理センタサーバ１１は、顧客データベース１２にアクセスし、前記顧客の氏名、口座番号、暗証番号等の情報によって前記顧客を特定し、該顧客の課金情報に基づいて、前記装置１６の使用料金を徴収するための課金処理を行う。
【００５２】
続いて、前記装置１６の扉ロック機構４１が扉のロックを解除する。これにより、前記装置１６の扉を開放することができるようになるので、顧客は前記装置１６を使用することができる。
【００５３】
次に、図７のフローチャートについて説明する。
ステップＳ１１  装置１６の空きがあるか否かを判断する。装置１６の空きがある場合はステップＳ１２に進み、装置１６の空きがない場合は図８のステップＳ１７に進む。
ステップＳ１２  予約指示を入力する。
ステップＳ１３  空いている装置１６の扉をロックする指示を送信する。
ステップＳ１４  装置１６の扉をロックする。
ステップＳ１５  予約済みの装置１６の番号を送信する。
ステップＳ１６  予約済みの装置１６の番号を表示し、図８のステップＳ２２に進む。
【００５４】
次に、図８のフローチャートについて説明する。
ステップＳ１７  予約指示を入力する。
ステップＳ１８  装置１６が空くまで待機する。
ステップＳ１９  装置１６の扉をロックする。
ステップＳ２０  空き装置１６の番号を通知する。
ステップＳ２１  電子メールを受信し、装置１６が予約されたこと、及び、予約された装置１６の番号を把握する。
ステップＳ２２  カードリーダ４２に会員証となっているカードを読み取らせる。
ステップＳ２３  課金処理を行う。
ステップＳ２４  装置１６の扉のロックを解除する。
【００５５】
このように、本実施の形態においては、顧客は顧客端末１４を操作して、所望のランドリー店舗１７における装置１６を予約することができる。そして、予約された装置１６は扉がロックされるので、前記顧客がランドリー店舗１７に到着して使用する前に、他の顧客に使用されてしまうことがない。そのため、前記顧客は、急いでランドリー店舗１７に行く必要がないので、ストレスを感じることがない。したがって、顧客にとっての利便性がより高くなる。
【００５６】
また、ランドリー店舗１７において装置１６の空きがない場合であっても、装置１６が空いた時点で自動的に予約され、その旨が顧客端末１４に通知される。そのため、顧客にとっての利便性がより高くなる。また、ランドリー店舗１７における装置１６の空き時間が短くなり、顧客によって有効に使用されるので、前記装置１６の稼働率が向上する。
【００５７】
次に、本発明の第３の実施の形態について説明する。なお、第１及び第２の実施の形態と同じ構造を有するものについては、同じ符号を付与することによってその説明を省略する。また、前記第１及び第２の実施の形態と同じ動作及び同じ効果についても、その説明を省略する。
【００５８】
なお、本実施の形態における装置状況把握システム１０は、前記第１の実施の形態と同様の構成を有するので、構成についての説明を省略し、動作について説明する。
【００５９】
図９は本発明の第３の実施の形態における装置状況把握システムの動作を示すフローチャートである。
【００６０】
本実施の形態においては、ランドリー店舗１７における装置１６の使用を開始してから終了するまでの動作について説明する。また、ここでは、前記装置１６が洗濯機であるものとする。
【００６１】
まず、顧客は、所望のランドリー店舗１７において予約した装置１６を使用して、洗濯物の洗濯を開始する。なお、予約された前記装置１６の扉のロックが解除され、前記装置１６を使用することができるようになるまでの動作は、前記第１及び第２の実施の形態と同様であるので、説明を省略する。
【００６２】
そして、顧客は、洗濯物を前記装置１６に入れ、洗濯開始指示を出す。すると、該洗濯開始指示を受け、扉ロック機構４１が作動して扉をロックし、前記装置１６は洗濯を開始する。なお、顧客は洗濯が終了するまで待機している。この場合、前記顧客は、必ずしもランドリー店舗１７にいる必要はなく、都合の良い場所で待機することができる。
【００６３】
そして、洗濯が終了すると、店舗内サーバ１５の装置使用状況確認部３１は、前記装置１６において洗濯が終了したことを確認し、管理センタサーバ１１に前記装置１６において洗濯が終了した旨を送信する。すると、管理センタサーバ１１の電子メール送信部２１は、前記装置１６において洗濯が終了した旨を通知するための電子メールとして、洗濯終了メールを作成して顧客端末１４宛てに送信する。そして、該顧客端末１４の電子メール受信部５３が管理センタサーバ１１からの洗濯終了メールを受信すると、該洗濯終了メールの内容が表示手段の画面に表示される。これにより、顧客は、前記装置１６において洗濯が終了したことを把握する。
【００６４】
続いて、前記顧客は、前記ランドリー店舗１７に行って、前記装置１６に付属するカードリーダ４２に会員証としてのカードを読み取らせる。これにより、カードが備える磁気ストライプ、ＩＣ等から成る記憶手段に記憶されている情報がカードリーダ４２によって読み取られ、扉ロック機構４１が扉のロックを解除し、装置１６の使用が終了する。これにより、前記装置１６の扉を開放することができるようになるので、顧客は洗濯物を取り出すことができる。
【００６５】
次に、フローチャートについて説明する。
ステップＳ３１  洗濯開始指示を出す。
ステップＳ３２  装置１６の扉をロックする。
ステップＳ３３  顧客は洗濯が終了するまで待機する。
ステップＳ３４  洗濯終了メールを送信する。
ステップＳ３５  洗濯終了メールを受信する。
ステップＳ３６  カードリーダ４２に会員証となっているカードを読み取らせる。
ステップＳ３７  装置１６は扉のロックを解除する。
【００６６】
このように、本実施の形態においては、装置１６の使用が開始されてから終了するまでの間、前記装置１６の扉がロックされるので、前記装置１６内の洗濯物が盗難に遭うことがない。そのため、前記装置１６の安全性が高くなる。また、前記顧客は前記装置１６から離れた場所で待機することができるので、顧客にとっての利便性がより高くなる。
【００６７】
なお、前記第１〜第３の実施の形態においては、装置１６がコインランドリーにおいて使用される洗濯機、乾燥機等である場合について説明したが、前記装置１６は、多数の者によって排他的に使用される装置又は施設であれば、いかなる種類のものであってもよい。本発明は、例えば、手荷物等の荷物を一時保管するコインロッカー、電子ロッカー、ウェブロッカー等と通称される預かりボックス、カラオケボックスと通称されるカラオケ装置が配設された有料個室、コインパーキングと通称される有料の駐車スペース、有料トイレ、貸し出し用個室等にも適用することができる。
【００６８】
また、本発明は前記実施の形態に限定されるものではなく、本発明の趣旨に基づいて種々変形させることが可能であり、それらを本発明の範囲から排除するものではない。
【図面の簡単な説明】
【００６９】
【図１】本発明の第１の実施の形態における装置状況把握システムの構成を示す図である。
【図２】本発明の第１の実施の形態における管理センタサーバ及び顧客データベースの機能構成を示す図である。
【図３】本発明の第１の実施の形態における店舗内サーバの機能構成を示す図である。
【図４】本発明の第１の実施の形態における装置の機能構成を示す図である。
【図５】本発明の第１の実施の形態における顧客端末の機能構成を示す図である。
【図６】本発明の第１の実施の形態における装置状況把握システムの動作を示すフローチャートである。
【図７】本発明の第２の実施の形態における装置状況把握システムの動作を示す第１のフローチャートである。
【図８】本発明の第２の実施の形態における装置状況把握システムの動作を示す第２のフローチャートである。
【図９】本発明の第３の実施の形態における装置状況把握システムの動作を示すフローチャートである。
【符号の説明】
【００７０】
１０    装置状況把握システム
１１    管理センタサーバ
１４    顧客端末
１５    店舗内サーバ
１６、１６ａ、１６ｂ、１６ｎ    装置
１７    ランドリー店舗
【図１】
2005202580.tif 000003
【図２】
2005202580.tif 000004
【図３】
2005202580.tif 000005
【図４】
2005202580.tif 000006
【図５】
2005202580.tif 000007
【図６】
2005202580.tif 000008
【図７】
2005202580.tif 000009
【図８】
2005202580.tif 000010
【図９】
2005202580.tif 000011